(57)【要約】      （修正有）【課題】ベッド床板の一部分が傾斜可動する機構を備えた介護ベッドにおいて、要介護者のおむつ交換や寝返り時に介護者の肉体的負担を減らせる介護ベッドを提供する。【解決手段】背床板、座床板、脚床板が固着された介護用のベッドにおいて、ベッド床板の左右方向中心において、背床板の根太と座床板の根太の間、及び座床板の根太と脚床板の根太の間の前後方向に、金属パイプを螺着し、それぞれの中心軸の役割を果たす金属パイプ２２，２３の垂直の上方向に軸着した金属棒に腰床板２と大腿床板４を螺着し、金属パイプの垂直の下方向に軸着した金属棒２４，２５に左右踏み板１０，１１を螺着し、左右踏み板及び腰床板と大腿床板を垂直支柱１３，１４，１６，１７で螺着する。左右踏み板をそれぞれ踏動すると、腰床板と大腿床板が、同時にベッドの左右方向にそれぞれ傾動できる。固着床板部分と傾斜床板部分の隙間には、取っ手を備えたふた型安全装置を設置する。【選択図】図１
0003193935.tif 000002
【実用新案登録請求の範囲】
【請求項１】
背床板、座床板、脚床板が固着された介護用のベッドにおいて、ベッド床板の左右方向中心において、背床板の根太と座床板の根太の間、及び座床板の根太と脚床板の根太の間の前後方向に、金属パイプを螺着し、それぞれの中心軸の役割を果たす金属パイプの垂直の上方向に軸着した金属棒に腰床板と大腿床板を螺着し、中心軸棒の垂直の下方向に軸着した金属棒に踏み板構造物を螺着する。そして、踏み板構造物及び腰床板と大腿床板を螺着することで、踏み板構造物の左右踏み板をそれぞれ踏動すると、腰床板と大腿床板が、同時にベッドの左右方向にそれぞれ傾動できる。なおかつ、腰床板と大腿床板が傾斜時、固着床板部分と傾斜床板部分に大きくできた隙間に、要介護者の身体の落ち込みを防ぐためのふた型安全装置を備えたことを特徴とする介護用ベッドである。
【考案の詳細な説明】
【技術分野】
【０００１】
本考案は、介護者が、肉体的負担を減らしつつ、要介護者のおむつ交換や下着交換、および寝返りをさせることが、容易にできるための二連式腰・大腿床板可動装置付介護ベッドに関するものである。
【背景技術】
【０００２】
従来において、ベッド床板の左右半分が傾動する機構を備えた体位変換用傾斜滑り止めベッドも開発されている（特許文献１参照）。また、介護ベッドには、床板下部の全体が、反転することによって、ベッド床板全体が、左右に傾斜できるものがある（特許文献２参照）。また、中心軸を施したベッド床板の全体が、シーソーのように左右に傾斜する装置が付いたベッドも開発されている（特許文献３参照）。
【先行技術文献】
【特許文献】
【０００３】
【特許文献１】特開１９９４−０１４８２４号公報
【特許文献２】特開２００４−０１６３８７号公報
【特許文献３】特開２００９−０８２５９６号公報
【考案の概要】
【考案が解決しようとする課題】
【０００４】
上記、特許文献２と特許文献３は、ベッド床板全体が傾動する仕組みになっている。また、特許文献１は、左右方向にベッド床板の半分が、傾動する仕組みになっている。よって、要介護者の寝返りをさせることだけは、可能である。しかし、床板の全体もしく半分のみが傾斜しても、要介護者の座部と床板には、介護者の手が容易に動ける空間を作ることができないので、介護者が、要介護者の下着・おむつ交換等の介助をする際には、肉体的負担が重くかかるという欠点があった。
【課題を解決するための手段】
【０００５】
本考案は、二連式にした腰床板２及び大腿床板４のみを左右方向に傾斜させる装置と傾斜時に大きくできた隙間部分に対して、要介護者の身体の落ち込みを防止するためのふた型安全装置を具備することで、二連式に可動する腰床板２および大腿床板４が傾斜した際、要介護者を側臥位にさせたまま、要介護者の座部と座床板３の間に隙間が作れることによって、上記課題を解決することができる。
【考案の効果】
【０００６】
介護者が、踏み板構造部１２を踏動すると、腰床板２および大腿床板４を二連式で左右方向に傾動、固定することで、要介護者をそれぞれ左右方向に側臥位させた状態で保持できる。また、要介護者の座部と座床板３の間に、要介護者を側臥位に保持させた状態で、介護者の手が動けるほどの空間を作ることができる。また、腰・大腿床板２、４を傾けた状態の時に大きくできた隙間の部分には、要介護者の身体が落ち込まないようにするための腰床板・大腿床板用ふた型安全装置２６、２７を設置することによって、介護者は、介助する際の肉体的負担を減らしつつ、要介護者の心理的負担も軽減しながら、容易に要介護者の体位変換、下着交換、およびおむつ交換等が可能となる。
【図面の簡単な説明】
【０００７】
【図１】本考案の実施の形態に関わる左右に床板が傾動した状態と傾動する前の状態を示した床板可動装置の断面図である。
【図２】介護用ベッドの正面図である。
【図３】介護用ベッドの側面図である。
【図４】傾動した床板を係止するためのストッパー装置を示した図である。
【図５】下方向に傾動した腰・大腿床板の部分を塞ぐ役割と要介護者の側臥位の角度を変える役割を同時に果たすふた型安全装置を示した図である。
【図６】床板可動装置の稼働する中心軸の金属パイプ部分の構造物を示した側面図である。
【考案を実施するための形態】
【０００８】
図１に示したのは、本考案の実施の形態に関わる左右に腰床板２、大腿床板４が傾動した状態と傾動する前の状態を示した床板可動装置の断面図である。図１および図６で示した床板可動装置は、背床板１の下根太６と座床板３の上根太７の間、及び座床板３の下根太８と脚床板の上根太９の間の前後方向に、腰床板用連結部金属パイプ用下部クロームソケット３２ｍｍ  ａ  ｂ  １８、大腿床板用連結部金属パイプ用下部クロームソケット３２ｍｍ  ａ  ｂ  １９を両端部に固着した腰床板下部中心軸用金属パイプ２２と大腿床板下部中心軸用金属パイプ２３と上方向に軸着した腰床板下部クロームブラケット  トオシ  ３２ｍｍ  ａ  ｂ  ２０と大腿床板下部クロームブラケット  トオシ  ３２ｍｍ  ａ  ｂ  ２１と腰床板２、大腿床板４、および、左右上部垂直支柱１３、１４に螺着した垂直支柱連結用水平板１５、垂直支柱連結用水平板ａ  ｂ  １５に螺着した左右下部垂直支柱１６、１７および、左右踏み板部１０、１１から構成される。図３に示した通り、踏み板構造部１２の左右踏み板部１０、１１をそれぞれ踏動すると、腰床板２と大腿床板４のみが、ベッドの左右方向において、同時に傾動する。
【０００９】
図２に示した介護用ベッドの正面図である。本考案に係る介護用ベッドの床板は、固着している背床板１、座床板３、脚床板５、およびベッド前後に対する左右方向に傾動する腰床板２、大腿床板４で構成される。
【００１０】
図３で示した通り、背床板１、座床板３、脚床板５が固着された介護用のベッドにおいて、ベッド床板の左右方向中心において、背床板の下根太６と座床板の上根太７の間、及び座床板の下根太８と脚床板の上根太９の間の前後方向に、それぞれ腰床板下部・大腿床板下部用中心軸金属パイプ２２、２３を螺着している。また、可動する腰床板２、大腿床板４を水平固定させるための左右腰床板・大腿床板固定ボルト４２、４３、４４、４５がある。
【００１１】
図４に示した傾動する腰床板２、大腿床板４を傾いた状態を保持するためのストッパー装置である。腰床板２、大腿床板４をそれぞれ左右に傾けた状態で、左右ストッパー装置ハンドル部３６、３８を右回転させることで、左右ストッパー板３７、３９も右回転し、傾いた腰・大腿床板２、４に、左右ストッパー板３７、３９を掛着させることで、可動する腰・大腿床板２、４が、傾斜状態を保持できる形態になる。
【００１２】
図５に示した床板の間の隙間を埋める役割と設置位をずらすことで、要介護者の側臥位の角度を変えるときに要介護者の身体の落ち込みを防ぐ安全装置的な役割を担う腰床板用ふた型安全装置２６および大腿床板用ふた型安全装置２７は、取っ手と長方形板と板下部に右傾斜下部方向に固着した板で構成された腰・大腿床板用体位保持用ふた型安全補助装置３２、３３、および長方形板の下部に固着した長方形の根太で構成される腰・大腿床板用ふた型安全装置用留め装置３０、３１によって構成される。
【実施例】
【００１３】
図１および図３に示すように、腰床板２および大腿床板４を可動させるために、まずは、腰床板２、大腿床板４を水平固定させている左右腰床板・大腿床板固定ボルト４２、４３、４４、４５を外す。その後、介護者が、右踏み板部１０を踏み込み、要介護者が右方向に側臥位したとこで、図４に示した左右ストッパー装置のハンドル部３６、３８を右回転することで、右回転された左右ストッパー板３７、３９が、傾いた腰・大腿床板２、４を掛止する。また、要介護者の身体の落ち込みを防止し、なおかつ要介護者の心理的負担を軽減させるために、固定された背・座・脚床板１、３、５と下部に傾斜した腰・大腿床板２、４の間にできた隙間を埋めるための腰床板用ふた型安全装置２６、大腿床板用ふた型安全装置２７を設置する。また、これらの腰・大腿床板用ふた型安全装置２６、２７は、設置位置をずらすことによって、要介護者の側臥位の角度を変えることができる。つまり、側臥位の角度を変えられるので、介護者が、介助をしやすくなる効果が期待できる。
【００１４】
腰床板２が、傾斜された状態では、要介護者の座部と固定されている座床板３の間に、介護者が手を入れられるほどの空間が作られる。この空間を活用する具体的な実施例としては、例えば、介護者が、側臥位した要介護者の交換前のパンツ型おむつ等を片側のみ脱がし、丸め込み、新しいおむつを片側のみ交換することができる。
【００１５】
片側のおむつを交換した後、設置した腰床板用ふた型安全装置２６、大腿床板用ふた型安全装置２７を外し、右ストッパー装置ハンドル部３６を左回転させることで、掛止していた右ストッパー板３７を腰床板から外し、傾斜された腰・大腿床板２、４を一旦元の状態に戻したところで、今度は、介護者が、左部踏み板部１１を踏み込み、要介護者が左側に側臥位したところで、左ストッパー装置ハンドル部３８を右回転させ、連動して右回転した左ストッパー板３９を掛止することで、腰・大腿床板２、４を傾いたまま保持する。また、同様に、反対側にできた固定された床板と下部に傾斜した床板の間の隙間を埋めるための腰床板用ふた型安全装置２６、大腿床板用ふた型安全装置２７を設置する。
【００１６】
その後、要介護者の座部と固定されている座床板３の間に、介護者が手を入れ、交換前のおむつのもう一方を脱がし、新しいおむつを片方交換する。交換後、ふたを外し、左ストッパー装置ハンドル部３８を、先ほどと反対方向である右回転をさせて、左ストッパー板３９を外す。傾斜された床板を元の状態に戻したところで、腰床板２、大腿床板４を水平固定させるために、左右腰床板・大腿床板固定ボルト４２、４３、４４、４５を差し込む。要介護者の履かせたおむつまたは下着を整える。なお、要介護者の不安を軽減させる目的で、ベッド両サイドには、左右ベッド柵差し込み口ａ  ｂ  ３４  ３５に、挿設された左右転落防止柵４０、４１が設置されている。
【符号の説明】
【００１７】
１背床板
２腰床板
３座床板
４大腿床板
５脚床板
６背床板の下根太
７座床板の上根太
８座床板の下根太
９脚床板の上根太
１０右部踏み板部
１１左部踏み板部
１２踏み板構造部
１３左上部垂直支柱
１４右上部垂直支柱
１５垂直支柱連結用水平板  ａ  ｂ
１６左下部垂直支柱
１７右下部垂直支柱
１８腰床板用連結部金属パイプ用クロームソケット  ３２ｍｍ  ａ  ｂ
１９大腿床板用連結部金属パイプ用クロームソケット  ３２ｍｍ  ａ  ｂ
２０腰床板下部クロームブラケット  トオシ  ３２ｍｍ  ａ  ｂ
２１大腿床板下部クロームブラケット  トオシ  ３２ｍｍ  ａ  ｂ
２２腰床板下部中心軸用金属パイプ
２３大腿床板下部中心軸用金属パイプ
２４腰床板用連結部Ｆ型ブラケット  通
２５大腿床板用連結部Ｆ型ブラケット  通
２６腰床板用ふた型安全装置
２７大腿床板用ふた型安全装置
２８腰床板用ふた型安全装置用取っ手
２９大腿床板用ふた型安全装置用取っ手
３０腰床板用ふた型安全装置用留め装置
３１大腿床板用ふた型安全装置用留め装置
３２腰床板用体位保持用ふた型安全補助装置
３３大腿床板用体位保持用ふた型安全補助装置
３４右ベッド柵差し込み口  ａ  ｂ
３５左ベッド柵差し込み口  ａ  ｂ
３６右ストッパー装置のハンドル部
３７右ストッパー板
３８左ストッパー装置のハンドル部
３９左ストッパー板
４０右転落防止柵
４１左転落防止柵
４２右腰床板固定ボルト
４３左腰床板固定ボルト
４４右大腿床板固定ボルト
４５左大腿床板固定ボルト
【図１】
0003193935.tif 000003
【図２】
0003193935.tif 000004
【図３】
0003193935.tif 000005
【図４】
0003193935.tif 000006
【図５】
0003193935.tif 000007
【図６】
0003193935.tif 000008
【手続補正書】
【提出日】平成26年8月21日(2014.8.21)
【手続補正１】
【補正対象書類名】実用新案登録請求の範囲
【補正対象項目名】全文
【補正方法】変更
【補正の内容】
【実用新案登録請求の範囲】
【請求項１】
背床板、座床板、脚床板が固着された介護用のベッドにおいて、ベッド床板の左右方向中心において、背床板の根太と座床板の根太の間、及び座床板の根太と脚床板の根太の間の前後方向に、金属パイプを螺着し、それぞれの中心軸の役割を果たす金属パイプの垂直の上方向に軸着した金属棒に腰床板と大腿床板を螺着し、金属パイプの垂直の下方向に軸着した金属棒に踏み板構造物を螺着し、踏み板構造物及び腰床板と大腿床板を螺着することで、踏み板構造物の左右踏み板をそれぞれ踏動すると、腰床板と大腿床板が、同時にベッドの左右方向にそれぞれ傾動でき、腰床板と大腿床板が傾斜時、固着床板部分と傾斜床板部分に大きくできた隙間に、取っ手を備えたふた型安全装置を設置することを特徴とする介護用ベッド。